(57)【要約】【課題】チューブ部材に形成されたスリットに、熟練を要さずに、パッキンを容易かつ迅速に介装可能なパッキン取付治具を提供する。【解決手段】長手方向スリットＴａを有するチューブ部材ＴのスリットＴａに直線状のパッキンＰを介装させるためのパッキン取付治具であって、パッキンＰが挿通される長手方向誘導孔４が貫設され本体部１を有し、スリットＴａに差し込まれてスリットＴａに沿って直線移動しつつスリットＴａを拡口させるくさび状差込突部２を、本体部１の先端下面に設け、かつ、差込突部２の先端部の近傍に誘導孔４の先端開口部を開設する。【選択図】図１
2010098841.tif 000002
【特許請求の範囲】
【請求項１】
長手方向スリット（Ｔａ）を有するチューブ部材（Ｔ）の該スリット（Ｔａ）に直線状のパッキン（Ｐ）を介装させるためのパッキン取付治具であって、
上記パッキン（Ｐ）が挿通される長手方向誘導孔（４）が貫設され本体部（１）を有し、
上記スリット（Ｔａ）に差し込まれて該スリット（Ｔａ）に沿って直線移動しつつ該スリット（Ｔａ）を拡口させるくさび状差込突部（２）を、上記本体部（１）の先端下面に設け、かつ、該差込突部（２）の先端部（２ａ）の近傍に上記誘導孔（４）の先端開口部（４ａ）を開設したことを特徴とするパッキン取付治具。
【請求項２】
上記先端開口部（４ａ）の上縁部に、上記先端開口部（４ａ）から順次露出してくるスリット介装直前の上記パッキン（Ｐ）の外面に接触して浮上がりを防止するパッキン押圧部（３）を、突設した請求項１記載のパッキン取付治具。
【請求項３】
上記くさび状差込突部（２）は、上記スリット（Ｔａ）を介して上記チューブ部材（Ｔ）の内部へ突入した侵入状態の該差込突部（２）の外方への逃げを阻止する一対の側方突出状引掛突片（９）（９）を備えている請求項１又は２記載のパッキン取付治具。
【請求項４】
上記パッキン（Ｐ）が左右凹溝（Ｐａ）（Ｐａ）を有する横断面略Ｈ型であり、
上記誘導孔（４）内に、上記パッキン（Ｐ）の上記凹溝（Ｐａ）（Ｐａ）に左右から差込まれて捩れを防ぐ一対のガイド突出部（５）（５）を設けた請求項１，２又は３記載のパッキン取付治具。
【発明の詳細な説明】
【技術分野】
【０００１】
本発明は、チューブ部材の長手方向のスリットにパッキンを介装させるパッキン取付治具に関する。
【背景技術】
【０００２】
従来、特許文献１記載のように、電線や電線束等を保護するコルゲートチューブ等の電線保護用チューブ部材は、保護すべき電線束等を軸心のラジアル外方から内装可能にスリットが形成されているものがあった。
このようなチューブ部材は、スリットの端部によって内装した電線束の損傷防止、又は、スリットからの雨水やゴミ等の内部への侵入防止のために、直線状のパッキンをスリットに介装させていた。
【特許文献１】特開２０００−１８４５３８号公報
【発明の開示】
【発明が解決しようとする課題】
【０００３】
しかし、スリットは、チューブ部材の自らの弾発力（復元力）によって、常に閉じる方向に付勢されているため、作業者が手でスリットを拡口させつつパッキンを取付けるには、多大な手間と時間が費やされるという問題があった。また、熟練を要し、作業者によって取付作業時間に大きな差ができるため、作業が平準化されないといった問題があった。
【０００４】
そこで、本発明はチューブ部材に形成されたスリットに、熟練を要さずに、パッキンを容易かつ迅速に介装可能なパッキン取付治具の提供を目的とする。
【課題を解決するための手段】
【０００５】
上記目的を達成するために、本発明のパッキン取付治具は、長手方向スリットを有するチューブ部材の該スリットに直線状のパッキンを介装させるためのパッキン取付治具であって、上記パッキンが挿通される長手方向誘導孔が貫設された本体部を有し、上記スリットに差し込まれて該スリットに沿って直線移動しつつ該スリットを拡口させるくさび状差込突部を、上記本体部の先端下面に設け、かつ、該差込突部の先端部の近傍に上記誘導孔の先端開口部を開設したものである。
【０００６】
また、上記先端開口部の上縁部に、上記先端開口部から順次露出してくるスリット介装直前の上記パッキンの外面に接触して浮上がりを防止するパッキン押圧部を、突設したものである。
【０００７】
また、上記くさび状差込突部は、上記スリットを介して上記チューブ部材の内部へ突入した侵入状態の該差込突部の外方への逃げを阻止する一対の側方突出状引掛突片を備えているものである。
【０００８】
また、上記パッキンが左右凹溝を有する横断面略Ｈ型であり、上記誘導孔内に、上記パッキンの上記凹溝に左右から差込まれて捩れを防ぐ一対のガイド突出部を設けたものである。
【発明の効果】
【０００９】
本発明のパッキン取付治具によれば、チューブ部材のスリットにパッキンを容易かつ迅速に介装できる。パッキン取付作業を平準化（標準化）できる。作業時間を短縮し作業効率を向上できる。  
【発明を実施するための最良の形態】
【００１０】
以下、実施の形態を示す図面に基づき本発明を詳説する。
図１は本発明のパッキン取付治具の使用状態を示す斜視図である。
本発明のパッキン取付治具は、ポリプロピレン製コルゲートチューブ等の電線保護用のチューブ部材Ｔの長手方向（軸心Ｌ0 方向）に形成されるスリットＴａに、直線状のパッキンＰを介装させるためのパッキン取付治具である。
【００１１】
図１に於て、本発明のパッキン取付治具（以下、取付治具と言う場合もある）は、パッキンＰが挿通される長手方向誘導孔４が貫設された小型かつ軽量なポリアセタール等の樹脂製の本体部１を有している。本体部１の基端側にパッキンＰが差し込まれる誘導孔４の基端開口部４ｂを開設している。また、握り部６を設けている。なお、本発明に於て、「上」とは、チューブ部材Ｔの軸心Ｌ0 を水平状に配設し、かつ、スリットＴａが開口するラジアル外方向である。また、軸心Ｌ0 方向を前後方向と呼ぶ場合がある。
【００１２】
チューブ部材Ｔは、電線や多数の電線を束ねた電線束（図示省略）を軸心Ｌ0 のラジアル外方から内装（差込み）するためにスリットＴａを形成している。また、自らの弾発力（復元力）によってスリットＴａを常時閉じる方向に付勢している。
【００１３】
パッキンＰは、ゴム製又は軟質プラスチック製であって、左右凹溝Ｐａ，Ｐａを有する横断面略Ｈ型に形成されている。スリットＴａに沿って取着され、スリットＴａによって発生する内装した電線束の損傷や、保護すべき電線の噛み込み、雨水やゴミ等の内部への侵入、等を防止する目的で使用されるものである。
【００１４】
図２は、本発明の実施の形態を示す側面図である。図３はその底面図であり、図４はその正面図である。また、図５は図３のＡ−Ａ断面図であり、図６は図３のＢ−Ｂ断面図である。なお、図２乃至図６に於て、誘導孔４の軸心Ｌ4 が水平状となっている図２の姿勢の場合で方向を説明する。
取付治具の本体部１は、先端側下面に、スリットＴａに差し込まれてスリットＴａをしだいに開拡してゆくための平面視くさび状の差込突部２を設けている。先端側下面は、側面視（図２参照）で誘導孔４の孔軸心Ｌ4 に所定の鋭角の角度θで交わるように傾斜する当接斜面10を有している。所定（の鋭角の）角度θは、10°≦θ≦45°に設定している。特に、所定角度θは20°≦θ≦30°に設定するのがより好ましい。
【００１５】
差込突部２は、先端部２ａ近傍の両側面をパッキンＰの左右幅寸法Ｗよりも大きな幅寸法Ｓに形成された拡口保持部20を有している。拡口保持部20の両側面は相互に平行に形成されている。また、差込突部２は、基端部（先端部２ａの反対）側に接近するにつれて幅が小さくなると共に両側面が鋭角に接するようにして形成されたくさび部21を有している。拡口保持部20の両側面とくさび部21の両側面とは滑らかに接し、差込突部２を平面視（図３参照）くさび状に形成している。
【００１６】
差込突部２は、先端部２ａ寄りの底面２ｂを当接斜面10に対して平行状に形成している。また、底面２ｂ近傍から側方突出状に、左右一対の引掛突片９，９を備えている。引掛突片９，９の左右両側面は、くさび部21の両側面と滑らかに接し、平面視くさび状に形成されている。
【００１７】
誘導孔４は、横断面矩形状に形成されている。差込突部２の先端部２ａの近傍に矩形状の先端開口部４ａを開設している。先端開口部４ａ寄りの内部に、パッキンＰの左右の凹溝Ｐａ，Ｐａに左右から差し込まれる左右一対のガイド突出部５，５を設けている。
【００１８】
また、誘導孔４の先端開口部４ａの上縁部に、誘導孔４の上部を先端側に突出させて形成したパッキン押圧部３を設けている。パッキン押圧部３（以下、押圧部３と言う場合もある）は、パッキンＰの外面（上面側）を押圧する押圧面３ａと、左右方向の移動（振れ）を規制する左右のガイド面３ｂ，３ｂを有する下方に開口した凹溝状に形成されている。
【００１９】
さらに、取付治具は、図７に示す分解図のように、本体部１は、差込突部２及び当接斜面10の一部を有する部材と、押圧部３及び当接斜面10の一部とガイド突出部５，５を有する部材と、に分解・組立可能に構成されている。つまり、取付治具は、差込突部２及び押圧部３を着脱自在（交換自在）に設けていると言える。この差込突部２と押圧部３と当接斜面10を（上述のように）ポリアセタールとすれば、耐摩耗性に優れて好ましいと言える。また、当接斜面10及びガイド突出部５，５を着脱自在に設けているとも言える。
各部（差込突部２、押圧部３等）は、使用状態では、図示省略のネジ部材の螺着によって連結されている。
【００２０】
なお、本発明は、設計変更可能であって、例えば、差込突部２や押圧部３等の各部が分解・組立可能でなく、本体部１と一体となったものでも良い。本体部１の基端側に、作業者の持ち手部である握り部６を矩形状かつ下方膨出状に設けているが、図示した実施の形態に限らず、形状や膨出する方向は自由である。なお、パッキンＰは、介装すべきチューブ部材ＴのスリットＴａの長さ寸法に合わせて予め切断しておくのが望ましい。
【００２１】
上述した本発明のパッキン取付治具の使用方法（作用）について説明する。
先ず、図８に示すように、誘導孔４内にパッキンＰを挿通させ、先端側の押圧部３よりも突出させる。チューブ部材Ｔの一方の端面に形成されたスリットＴａに、差込突部２のくさび部21を、チューブ部材Ｔの軸心Ｌ0 に沿った一方向（図に示す移動矢印Ｙ方向）に差し込む。
【００２２】
図９に示すように、くさび作用によって、差込突部２のくさび部21はスリットＴａに容易に差し込まれる。さらに矢印Ｙ方向（移動方向Ｙとも言う）に差し込むと、差込突部２の拡口保持部20がスリットＴａに差し込まれる。ここで、差込突部２の拡口保持部20が差し込まれる際に、チューブ部材Ｔの一方の端面が引掛突片９，９に接触し、図10に示すように、当接斜面10を、スリットＴａ近傍のチューブ部材Ｔの外周面に接触させるように倒立状（先端下傾状）に揺動する（図10に示す揺動矢印Ｚ方向）。差込突部２のくさび部21の基端側にある鋭角部21ａは、取付治具の倒立状の傾斜（傾倒状態）により、チューブ部材Ｔ内部から外へ突出するので、鋭角部21ａによるチューブ部材Ｔ内部の電線束（図示省略）への損傷を防止する。差込突部２の拡口保持部20は、拡口状態にスリットＴａを保持する。
【００２３】
差込突部２の拡口保持部20は、図11に示すように、パッキンＰの左右幅寸法Ｗよりも大きな幅寸法ＳにスリットＴａを拡口させる。取付治具の傾倒により、パッキンＰは拡口（開口）したスリットＴａに接近する。この際、パッキンＰは、スリットＴａ内の所定位置（パッキンＰの凹溝Ｐａ，Ｐａに、スリットＴａの端部ｔ，ｔが嵌入可能な位置）に配設される。
【００２４】
図12に示すように、取付治具の当接斜面10をチューブ部材Ｔの外周面に接触させた傾倒状態で矢印Ｙ方向へ移動（摺接）させると、差込突部２は、スリットＴａに沿って直線移動しつつスリットＴａを拡口させる。差込突部２の拡口保持部20が通過した後、スリットＴａは、チューブ部材Ｔの自らの弾発力（復元力）によってパッキンＰを挟むように閉じる。パッキンＰはスリットＴａに介装される。
【００２５】
図13及び図14に示すように、パッキンＰの凹溝Ｐａ，Ｐａに、スリットＴａの端部ｔ，ｔが嵌入する。パッキンＰの一方端はスリットＴａによって固定されているので、矢印Ｙ方向の移動に伴って、取付治具はパッキンＰを誘導孔４の先端開口部４ａから順次露出させる。押圧部３は、スリット介装直前のパッキンＰの外面に接触して、浮き上がりや左右方向の振れを防止し、パッキンＰを適切な姿勢でスリットＴａ内の所定位置に配設する。  誘導孔４内のガイド突出部５，５（図４参照）は、順次引き出されるパッキンＰの姿勢を維持し、捩れを防止する。また、引掛突片９，９（図４参照）は、チューブ部材Ｔの内部へ突入した侵入状態の差込突部２が軸心Ｌ0 のラジアル外方へ逃げるのを阻止する。パッキンＰはスリットＴａに適切な姿勢で介装（挟着）される。
【００２６】
また、図２を用いて説明した誘導孔４の軸心Ｌ4 と当接斜面10の所定角度θは、10°≦θ≦45°に設定しているので、パッキンＰはスムーズに介装される。つまり、所定角度θが10°よりも小さいと、拡口したスリットＴａ内の所定位置にパッキンＰを誘導することが困難となって噛み込み不良等の取付不良が発生する虞れが高くなる。また、パッキン取付治具とチューブ部材Ｔの間隔が小さくなって、作業者が取付治具を操作（把持）することが困難になる。所定角度θが45°よりも大きいと介装されるパッキンＰが大きく折曲げられ、スムーズに先端開口部４ａから順次露出されにくくなる（送り出されなくなる）。
【００２７】
図15に示すように、パッキンＰは、進行方向Ｙの後方側でスリットＴａに介装され固定されるので、取付治具を移動させると、誘導孔４の基端開口部４ｂにパッキンＰは順次引き込まれる。移動に伴って、誘導孔４は、基端開口部４ｂから差し込まれたパッキンＰを、進行方向Ｙの後方側で拡口しているスリットＴａに接近させるように順次誘導する。取付治具を一方の端面から他方の端面までスリットＴａに沿って移動させることで、図16に示すようにパッキンＰはチューブ部材Ｔの一方端から他方端まで確実に介装される。
【００２８】
また、差込突部２や押圧部３及び当接斜面10は、チューブ部材Ｔの損傷を防止するためチューブ部材Ｔよりも柔らかい材質で成形されている。具体的には、チューブ部材Ｔがコルゲートチューブの場合には、ポリプロピレンであり、かつ、差込突部２と押圧部３と当接斜面10は、ポリアセタールとすることは、この点で望ましい。そのため、外周面が凹凸状（蛇腹状）に形成されるコルゲートチューブのようなチューブ部材Ｔに摺接させると磨耗や損傷する虞れがあるが、図７に示したように、磨耗や破損の虞れが高い各部（差込突部２や押圧部３や当接斜面10）は着脱自在であるので、磨耗や損傷の状態に応じて適時交換され、常に適切な形状が保たれる。
【００２９】
なお、図８乃至図16では、蛇腹状に形成されていないチューブ部材Ｔを用いて説明したが、コルゲートチューブのような蛇腹状のものや小径部（段差部）を有するコルゲートチューブ（図１参照）であっても、本発明のパッキン取付治具は、上述した作用を発揮する。  また、本発明のパッキン取付治具は、保護すべき電線が内装されていない場合、例えば、チューブ部材Ｔの出荷・梱包作業の際にも使用される。
【００３０】
以上のように、本発明は、長手方向スリットＴａを有するチューブ部材ＴのスリットＴａに直線状のパッキンＰを介装させるためのパッキン取付治具であって、パッキンＰが挿通される長手方向誘導孔４が貫設され本体部１を有し、スリットＴａに差し込まれてスリットＴａに沿って直線移動しつつスリットＴａを拡口させるくさび状差込突部２を、本体部１の先端下面に設け、かつ、差込突部２の先端部２ａの近傍に誘導孔４の先端開口部４ａを開設したので、スリットＴａにパッキンＰを容易かつ迅速に介装できる。パッキン取付作業を平準化（標準化）できる。作業時間を短縮し作業効率を向上できる。スリットＴａの拡口作業とパッキンＰの介装作業を一つの取付治具で作業できる。また、取付治具は小型かつ軽量で片手操作可能である。
【００３１】
また、先端開口部４ａの上縁部に、先端開口部４ａから順次露出してくるスリット介装直前のパッキンＰの外面に接触して浮上がりを防止するパッキン押圧部３を、突設したので、パッキンＰを介装させる適切な位置（所定位置）へ確実に配設できる。パッキンＰの不適切な噛み込みによる、作業ミスや、パッキンＰの損傷を防止できる。
【００３２】
また、くさび状差込突部２は、スリットＴａを介してチューブ部材Ｔの内部へ突入した侵入状態の差込突部２の外方への逃げを阻止する一対の側方突出状引掛突片９，９を備えているので、スリットＴａに沿って直線移動させる際に、本発明のパッキン取付治具がスリットＴａから外れるのを防止できる。また、パッキンＰを介装する途中で作業者が取付治具を手放しても（作業を中断しても）容易に再開できる。
【００３３】
また、パッキンＰが左右凹溝Ｐａ，Ｐａを有する横断面略Ｈ型であり、誘導孔４内に、パッキンＰの凹溝Ｐａ，Ｐａに左右から差込まれて捩れを防ぐ一対のガイド突出部５，５を設けたので、パッキンＰを介装させるための適切な姿勢（所定の姿勢）でスリットＴａ内に確実に配設できる。パッキンＰの不適切な姿勢による噛み込み等の作業ミスや、パッキンＰの損傷を防止できる。パッキンＰの捩れ（ローリング）を防止できる。
【図面の簡単な説明】
【００３４】
【図１】本発明のパッキン取付治具の使用状態を説明する斜視図である。
【図２】本発明の実施の一形態を示す側面図である。
【図３】本発明の実施の一形態を示す底面図である。
【図４】本発明の実施の一形態を示す正面図である。
【図５】図３のＡ−Ａ断面図である。
【図６】図３のＢ−Ｂ断面図である。
【図７】分解側面図である。
【図８】作用説明図である。
【図９】作用説明図である。
【図１０】作用説明図である。
【図１１】作用説明図である。
【図１２】作用説明図である。
【図１３】作用説明図である。
【図１４】作用説明図である。
【図１５】作用説明図である。
【図１６】作用説明図である。
【符号の説明】
【００３５】
１  本体部
２  差込突部
２ａ  先端部
３  押圧部
４  誘導孔
４ａ  先端開口部
５  ガイド突出部
９  引掛突片
Ｐ  パッキン
Ｐａ  凹溝
Ｔ  チューブ部材
Ｔａ  スリット
【図１】
2010098841.tif 000003
【図２】
2010098841.tif 000004
【図３】
2010098841.tif 000005
【図４】
2010098841.tif 000006
【図５】
2010098841.tif 000007
【図６】
2010098841.tif 000008
【図７】
2010098841.tif 000009
【図８】
2010098841.tif 000010
【図９】
2010098841.tif 000011
【図１０】
2010098841.tif 000012
【図１１】
2010098841.tif 000013
【図１２】
2010098841.tif 000014
【図１３】
2010098841.tif 000015
【図１４】
2010098841.tif 000016
【図１５】
2010098841.tif 000017
【図１６】
2010098841.tif 000018